【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
複数の選択項目を表示する表示手段と、
前記表示手段により表示された選択項目の何れかの選択を指示する面操作手段であって、互いに重複しない位置に第１及び第２の感応域を有する面操作手段と、
前記面操作手段の前記第１及び第２の感応域の操作に応じて、前記表示手段の表示内容を変更する表示制御手段と、
前記第１の感応域への操作に応じて前記第１の感応域の面積を拡大し、前記第２の感応域への操作に応じて前記第２の感応域の面積を拡大する感応域制御手段
とを具備することを特徴とする操作デバイス。
【請求項２】
複数の選択項目を表示する表示手段と、
前記表示手段により表示された選択項目の何れかの選択を指示する面操作手段であって、互いに重複しない位置に第１及び第２の感応域を有する面操作手段と、
前記面操作手段の前記第１及び第２の感応域の操作に応じて、前記表示手段の表示内容を変更する表示制御手段と、
前記第１の感応域への操作に応じて前記第２の感応域の面積を拡大し、前記第２の感応域への操作に応じて前記第１の感応域の面積を拡大する感応域制御手段
とを具備することを特徴とする操作デバイス。
【請求項３】
前記面操作手段が、面積を拡大される前の前記第１及び第２の感応域の間に、面積の拡大により、前記第１及び第２の感応域に合体されて感応域となる非感応域を具備することを特徴とする請求項１または２に記載の操作デバイス。
【請求項４】
前記面操作手段が、前記選択項目の決定を指示する第３の感応域を具備することを特徴とする請求項１から３の何れか１項に記載の操作デバイス。
【請求項５】
前記感応域制御手段は、
前記第１の感応域の面積が拡大された状態での、前記第１の感応域以外の感応域への操作に対して、前記第１の感応域の面積を拡大される前の状態に戻し、
前記第２の感応域の面積が拡大された状態での、前記第２の感応域以外の感応域への操作に対して、前記第２の感応域の面積を拡大される前の状態に戻すことを特徴とする請求項１に記載の操作デバイス。
【請求項６】
前記感応域制御手段は、前記第１の感応域の面積を拡大した後は、前記第１の感応域への操作があっても前記第１の感応域の面積を拡大しないことを特徴とする請求項５に記載の操作デバイス。
【請求項７】
前記面操作手段が、前記表示手段の表示画面と前記面操作手段の操作面とを同時に見ることができない位置に設置されていることを特徴とする請求項１から６の何れか１項に記載の操作デバイス。
【請求項８】
前記第１の感応域と第２の感応域は、前記表示手段に表示された複数の選択項目の表示方向に対応した位置に配置されることを特徴とする請求項１または２に記載の操作デバイス。
【請求項９】
複数の選択項目を表示する表示手段と、
前記表示手段により表示される選択項目の何れかの選択を指示する面操作手段であって、互いに重複しない位置に第１及び第２の感応域を有する面操作手段と、
前記面操作手段の第１及び第２の感応域が操作された場合、前記複数の選択項目のうち選択中の項目を予め決められた順序に従い変更する項目選択手段と、
前記項目選択手段により選択中の項目を他の選択項目と区別可能に表示する表示制御手段
とを備えることを特徴とする操作デバイス。
【請求項１０】
前記項目選択手段は、前記表示手段に表示された複数の選択項目の表示順に従い前記複数の選択項目のうち選択中の項目を変更することを特徴とする請求項９に記載の操作デバイス。
【請求項１１】
複数の選択項目を表示する表示手段と、
前記表示手段により表示された選択項目の何れかの選択を指示する面操作手段であって、互いに重複しない位置に第１及び第２の感応域を有する面操作手段と、
前記面操作手段の前記第１及び第２の感応域の操作に応じて、前記表示手段の表示内容を変更する表示制御手段
とを備える操作デバイスの制御方法であって、
前記第１の感応域への操作に応じて前記第１の感応域の面積を拡大し、前記第２の感応域への操作に応じて前記第２の感応域の面積を拡大する
ことを特徴とする操作デバイスの制御方法。
【請求項１２】
複数の選択項目を表示する表示手段と、
前記表示手段により表示された選択項目の何れかの選択を指示する面操作手段であって、互いに重複しない位置に第１及び第２の感応域を有する面操作手段と、
前記面操作手段の前記第１及び第２の感応域の操作に応じて、前記表示手段の表示内容を変更する表示制御手段
とを備える操作デバイスの制御方法であって、
前記第１の感応域への操作に応じて前記第２の感応域の面積を拡大し、前記第２の感応域への操作に応じて前記第１の感応域の面積を拡大する
ことを特徴とする操作デバイスの制御方法。
【請求項１３】
複数の選択項目を表示する表示手段と、
前記表示手段により表示される選択項目の何れかの選択を指示する面操作手段であって、互いに重複しない位置に第１及び第２の感応域を有する面操作手段
とを備える操作デバイスの制御方法であって、
前記面操作手段の第１及び第２の感応域が操作された場合、前記複数の選択項目のうち選択中の項目を予め決められた順序に従い変更し、前記選択中の項目を他の選択項目と区別可能に表示する
ことを特徴とする操作デバイスの制御方法。
【手続補正２】
【補正対象書類名】明細書
【補正対象項目名】発明の名称
【補正方法】変更
【補正の内容】
【発明の名称】操作デバイス及びその制御方法
【手続補正３】
【補正対象書類名】明細書
【補正対象項目名】０００１
【補正方法】変更
【補正の内容】
【０００１】
本発明は、タッチパネルと表示装置を有する操作デバイス及びその制御方法に関する。
【手続補正４】
【補正対象書類名】明細書
【補正対象項目名】０００７
【補正方法】変更
【補正の内容】
【０００７】
そこで、本発明は、上記の問題点に鑑み、ブラインドタッチ操作で、確実且つ容易に種々の指示を入力できる操作デバイス及びその制御方法を提示することを目的とする。
【手続補正５】
【補正対象書類名】明細書
【補正対象項目名】０００８
【補正方法】変更
【補正の内容】
【０００８】
上記の目的を達成するために、本発明に係る操作デバイスは、複数の選択項目を表示する表示手段と、前記表示手段により表示された選択項目の何れかの選択を指示する面操作手段であって、互いに重複しない位置に第１及び第２の感応域を有する面操作手段と、前記面操作手段の前記第１及び第２の感応域の操作に応じて、前記表示手段の表示内容を変更する表示制御手段と、前記第１の感応域への操作に応じて前記第１の感応域の面積を拡大し、前記第２の感応域への操作に応じて前記第２の感応域の面積を拡大する感応域制御手段とを具備することを特徴とする。
本発明に係る操作デバイスは、複数の選択項目を表示する表示手段と、前記表示手段により表示された選択項目の何れかの選択を指示する面操作手段であって、互いに重複しない位置に第１及び第２の感応域を有する面操作手段と、前記面操作手段の前記第１及び第２の感応域の操作に応じて、前記表示手段の表示内容を変更する表示制御手段と、前記第１の感応域への操作に応じて前記第２の感応域の面積を拡大し、前記第２の感応域への操作に応じて前記第１の感応域の面積を拡大する感応域制御手段とを具備することを特徴とする。
本発明に係る操作デバイスは、複数の選択項目を表示する表示手段と、前記表示手段により表示される選択項目の何れかの選択を指示する面操作手段であって、互いに重複しない位置に第１及び第２の感応域を有する面操作手段と、前記面操作手段の第１及び第２の感応域が操作された場合、前記複数の選択項目のうち選択中の項目を予め決められた順序に従い変更する項目選択手段と、前記項目選択手段により選択中の項目を他の選択項目と区別可能に表示する表示制御手段とを備えることを特徴とする。
本発明に係る操作デバイスの制御方法は、複数の選択項目を表示する表示手段と、前記表示手段により表示された選択項目の何れかの選択を指示する面操作手段であって、互いに重複しない位置に第１及び第２の感応域を有する面操作手段と、前記面操作手段の前記第１及び第２の感応域の操作に応じて、前記表示手段の表示内容を変更する表示制御手段とを備える操作デバイスの制御方法であって、前記第１の感応域への操作に応じて前記第１の感応域の面積を拡大し、前記第２の感応域への操作に応じて前記第２の感応域の面積を拡大することを特徴とする。
本発明に係る操作デバイスの制御方法は、複数の選択項目を表示する表示手段と、前記表示手段により表示された選択項目の何れかの選択を指示する面操作手段であって、互いに重複しない位置に第１及び第２の感応域を有する面操作手段と、前記面操作手段の前記第１及び第２の感応域の操作に応じて、前記表示手段の表示内容を変更する表示制御手段とを備える操作デバイスの制御方法であって、前記第１の感応域への操作に応じて前記第２の感応域の面積を拡大し、前記第２の感応域への操作に応じて前記第１の感応域の面積を拡大することを特徴とする。
本発明に係る操作デバイスの制御方法は、複数の選択項目を表示する表示手段と、前記表示手段により表示される選択項目の何れかの選択を指示する面操作手段であって、互いに重複しない位置に第１及び第２の感応域を有する面操作手段とを備える操作デバイスの制御方法であって、前記面操作手段の第１及び第２の感応域が操作された場合、前記複数の選択項目のうち選択中の項目を予め決められた順序に従い変更し、前記選択中の項目を他の選択項目と区別可能に表示することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００３８
【補正方法】変更
【補正の内容】
【００３８】
撮像モードでは、ＣＣＤ撮像素子１６は、撮影レンズ１２による光学像を電気信号に変換する。ＣＤＳ／ＡＧＣ回路２０は、ＣＣＤ撮像素子１６からのアナログ画像信号をサンプリング及びゲインコントロールする。Ａ／Ｄ変換器２２は、ＣＤＳ／ＡＧＣ回路２０からのアナログ画像信号をデジタル画像信号に変換する。カメラ信号処理装置２４は、Ａ／Ｄ変換器２２からのデジタル画像信号に上述の処理を施して、システム制御装置２６に供給する。システム制御装置２６は、ビデオ制御装置３８を介してＥＶＦ４４に画像データを供給する。このようにして、被写体の映像がＥＶＦ４４に表示され、同時に、図４に示すように、各種の操作メニューも表示される。操作メニューは、複数の選択項目があり、ユーザはこれらの選択項目から任意の項目を選択し、選択した項目についての機能を制御できる。
【手続補正１１】
【補正対象書類名】明細書
【補正対象項目名】００３９
【補正方法】変更
【補正の内容】
【００３９】
図４に示すように操作メニューが表示されている状態で、ユーザは、操作装置５２を使って、各種操作（「メニュー」、「逆光補正」、「アイリス調整」、「エフェクト」及び「戻る」等）が行える。例えば、「アイリス調整」４４ｃを選択すると、図５に示すように、絞りの開口度指示バー４４ｈ、増加マーク４４ｆ及び減少マーク４４ｇがＥＶＦ４４の画面上に表示される。ユーザは、操作装置５２の例えば十字キー等を操作して、絞り値を決定する。
【手続補正１２】
【補正対象書類名】明細書
【補正対象項目名】００４２
【補正方法】変更
【補正の内容】
【００４２】
タッチパネル４７の残りの部分を決定エリア４７ｃとする。決定エリア４７ｃは、上感応エリア４７ａ及び下感応エリア４７ｂのほぼ２倍の横幅を具備する。
【手続補正１３】
【補正対象書類名】明細書
【補正対象項目名】００４５
【補正方法】変更
【補正の内容】
【００４５】
例えば、図４に示すように、「メニュー」４４ａが選択されている状態で、ユーザが下感応エリア４７ｂに１回触れることにより、「逆光補正」４４ｂに変更されると共に、タッチパネル４７のタッチ位置情報がシステム制御装置２６を介してメモリ３０に記憶される。システム制御装置２６は、メモリ３０に記憶されるタッチパネル４７のタッチ位置情報に基づき、ビデオ制御装置３８と連動して、図７に示すように、タッチパネルの下感応エリア４７ｂを、ブランクエリア４７ｄを加えた範囲に拡げる。これにより、下感応エリア４７ｂの面積が２倍になる。
【手続補正１４】
【補正対象書類名】明細書
【補正対象項目名】００４６
【補正方法】変更
【補正の内容】
【００４６】
ユーザが、もう一度、下感応エリア４７ｂに触れると、システム制御装置２６は、「逆光補正」４４ｂから「アイリス調整」４４ｃに変更し、同時に、タッチパネル４７の位置情報に関するメモリ３０の記憶を更新する。この段階で、ユーザがタッチパネル４７の決定エリア４７ｃに触れると、システム制御装置２６は、ＥＶＦ４４の画面内に、図５に示すようなアイリス調整操作の画面を表示する。
【手続補正１５】
【補正対象書類名】明細書
【補正対象項目名】００５２
【補正方法】変更
【補正の内容】
【００５２】
タッチパネル４７以外にも、連続する又は離散的な複数の感知点を具備する非接触センサ、例えば、静電式又は熱感知式等の近接センサを使ってもよい。
【手続補正１６】
【補正対象書類名】明細書
【補正対象項目名】００５４
【補正方法】変更
【補正の内容】
【００５４】
ＥＶＦ４４の画面内でメニューを左右に並べて配置したときのように、左右で選択するときには、タッチパネル４７でも、タッチ域の下側に左右に並べて感応エリアを配置し、上下の選択に対して、図９に示したように、タッチ域の左側（又は右側）に上下に並べて感応エリアを配置するようにしてよい。即ち、表示画面上の操作マークの配置に応じて、タッチパネル４７の感応域を同様に並べて配置し、前回の操作位置に応じて、何れかの感応域を拡大する。
【手続補正１７】
【補正対象書類名】明細書
【補正対象項目名】００５７
【補正方法】変更
【補正の内容】
【００５７】
タッチパネル４７の残りの部分を決定エリア１４７ｇとする。決定エリア１４７ｇは、左感応エリア１４７ｅ及び右感応エリア１４７ｆのほぼ２倍の縦幅を具備する。
【手続補正１８】
【補正対象書類名】明細書
【補正対象項目名】００６０
【補正方法】変更
【補正の内容】
【００６０】
例えば、図８に示すように、「メニュー」１４４ａが選択されている状態で、ユーザが右感応エリア１４７ｆに１回触れることにより、「逆光補正」１４４ｂに変更されると共に、タッチパネル４７のタッチ位置情報がシステム制御装置２６を介してメモリ３０に記憶される。システム制御装置２６は、メモリ３０に記憶されるタッチパネル４７のタッチ位置情報に基づき、ビデオ制御装置３８と連動して、図１０に示すように、タッチパネルの右感応エリア１４７ｆを、ブランクエリア１４７ｈを加えた範囲に拡げる。これにより、右感応エリア１４７ｆの面積が２倍になる。
【手続補正１９】
【補正対象書類名】明細書
【補正対象項目名】００６１
【補正方法】変更
【補正の内容】
【００６１】
ユーザが、もう一度、右感応エリア１４７ｆに触れると、システム制御装置２６は、「逆光補正」１４４ｂから「アイリス調整」１４４ｃに変更し、同時に、タッチパネル４７の位置情報に関するメモリ３０の記憶を更新する。この段階で、ユーザがタッチパネル４７の決定エリア１４７ｇに触れると、システム制御装置２６は、ＥＶＦ４４の画面内に、図１１に示すようなアイリス調整操作の画面を表示する。勿論、図５に示すような操作画面でも良いが、左右の操作と上下の操作が混在する例を説明するために、図１１に示す操作画面を示す。
【手続補正２０】
【補正対象書類名】明細書
【補正対象項目名】００６２
【補正方法】変更
【補正の内容】
【００６２】
図１１に示すような上下の操作画面に対し、システム制御装置２６は、タッチパネルの感応域を図１２に示すように、図６と同様に配置する。即ち、タッチパネル４７の左側を上下方向でほぼ３等分し、上側を上感応エリア１４７ａとし、下側を下感応エリア１４７ｂとする。上感応エリア１４７ａと下感応エリア１４７ｂの間を、タッチ操作に感応しないブランクエリア１４７ｄ（タッチしても無視されるエリア）とする。ブランクエリア１４７ｄは、操作状況に応じて、上感応エリア１４７ａ又は下感応エリア１４７ｂに合体される。
【手続補正２１】
【補正対象書類名】明細書
【補正対象項目名】００６４
【補正方法】変更
【補正の内容】
【００６４】
上感応エリア１４７ａは、ＥＶＦ４４の増加マーク１４４ｆに対応し、下感応エリア１４７ｂは、ＥＶＦ４４の減少マーク１４４ｇに対応する。即ち、システム制御装置２６は、撮影者が上感応エリア１４７ａをタッチしたときには、絞りを一段開く指示であると理解し、撮影者が下感応エリア１４７ｂをタッチしたときには、絞りを一段閉じる指示であると理解する。また、下感応エリア１４７ｂの連続した操作に対してブランクエリア１４７ｄを下感応エリア１４７ｂに含めることで下感応エリア１４７ｂの面積を倍増し、同様に、上感応エリア１４７ａの操作に対して、ブランクエリア１４７ｄを上感応エリア１４７ａに含めることで上感応エリア１４７ａの面積を倍増する。このように、直前の操作状況に応じて、タッチパネルの感応域の面積を拡大縮小することにより、ブラインドタッチでも、適切に操作することができる。決定エリア１４７ｃの操作に応じて、システム制御装置２６は、最終的に、指示された絞り値に絞りを制御する。
【手続補正２２】
【補正対象書類名】明細書
【補正対象項目名】００６８
【補正方法】変更
【補正の内容】
【００６８】
【図１】本発明の一実施例である撮像装置の概略構成ブロック図である。
【図２】本実施例の液晶表示パネルを開いた状態の外観図である。
【図３】本発明の液晶表示パネルを外向きにした状態の外観図である。
【図４】ＥＶＦ４４の表示メニュー例である。
【図５】アイリス調整メニューの画面例である。
【図６】タッチパネル４７の感応域の配置例である。
【図７】下感応エリア４７ｂのタッチ後のタッチパネル４７の感応域の配置例である。
【図８】実施例２のＥＶＦ４４の表示メニュー例である。
【図９】図８に対するタッチパネル４７の感応域の配置例である。
【図１０】右感応エリア１４７ｆのタッチ後の、タッチパネル４７の感応域の配置例である。
【図１１】アイリス調整メニューの画面例である。
【図１２】図１１に示す操作画面に対するタッチパネル４７の感応域の配置例である。
【手続補正２３】
【補正対象書類名】図面
【補正対象項目名】図９
【補正方法】変更
【補正の内容】
【図９】
2008146429.tif 000001
【手続補正２４】
【補正対象書類名】図面
【補正対象項目名】図１０
【補正方法】変更
【補正の内容】
【図１０】
2008146429.tif 000002